(57)【要約】      （修正有）【課題】たとう紙に包まれている着物等の和装衣類について、たとう紙を開いたり、畳まれたものを広げたりしなくても、その内容を把握可能であり、初心者でも着付け時にどのようになるか、具体的にイメージすることができる和装衣類管理カードを提供する。【解決手段】たとう紙に包まれた和装衣類の管理に用いられる和装衣類管理カードであって、和装衣類を撮影した画像と、和装衣類に関する情報が印刷表示されている。【選択図】図１
0003227235.tif 000002
【実用新案登録請求の範囲】
【請求項１】
たとう紙に包まれた和装衣類の管理に用いられる和装衣類管理カードであって、
前記和装衣類を表した画像と、前記和装衣類に関する情報が表示されていることを特徴とする和装衣類管理カード。
【請求項２】
前記画像には、前記和装衣類を広げた状態及び／又は畳んだ状態を表したものと、前記和装衣類を着付けした状態を表したものが含まれていることを特徴とする請求項１記載の和装衣類管理カード。
【請求項３】
前記情報には、前記和装衣類の種類及び仕立てが含まれていることを特徴とする請求項１又は２記載の和装衣類管理カード。
【請求項４】
前記情報には、前記和装衣類の各部寸法と、前記和装衣類に適合する身体寸法が含まれていることを特徴とする請求項１乃至３の何れかに記載の和装衣類管理カード。
【請求項５】
前記情報には、前記和装衣類と合わせて使用される他の和装衣類の適合寸法が含まれていることを特徴とする請求項１乃至４の何れかに記載の和装衣類管理カード。
【請求項６】
前記情報には、前記和装衣類のブランドが含まれていることを特徴とする請求項１乃至５の何れかに記載の和装衣類管理カード。
【請求項７】
一つの和装衣類の画像と情報が複数枚のカードに分けて表示されていることを特徴とする請求項１乃至６の何れかに和装衣類管理カード。
【請求項８】
たとう紙に貼り付けるための接着面が設けられて、はく離紙で覆われていることを特徴とする請求項１乃至７の何れかに和装衣類管理カード。
【考案の詳細な説明】
【技術分野】
【０００１】
本考案は、たとう紙に包まれた和装衣類の管理に用いられるカードに関する。
【背景技術】
【０００２】
一般に、着物や帯等の和装衣類は、たとう紙と呼ばれる通気性の良い和紙製の包装紙に包まれた状態で保管されている。たとう紙は、湿気によるカビの防止等に適しているが、中身の確認には、閉じ紐を解いて開ける必要があり、相当な手間がかかっている。これに対し、たとう紙を閉じたままで中身を見られる視認窓が提案されている（例えば、特許文献１参照。）。
【先行技術文献】
【特許文献】
【０００３】
【特許文献１】実用新案登録第３１６４２７２号公報
【考案の概要】
【考案が解決しようとする課題】
【０００４】
しかし、視認窓では、着物のごく一部が見えるにすぎないため、色柄の配置など着物全体の雰囲気を知ることはできない。また、着物の種類、仕立て（季節）、ブランド、サイズなどの情報を確認することもできない。そのため、コーディネートする際は、結局、たとう紙から着物を取り出して広げてみるしかなく、片付けも含めて多くの手間と時間を要している。
【０００５】
更に和装に馴染みがない初心者は、着物を広げても、着付け時にどんな仕上がりになるか分からないため、慣れた人に見立ててもらったり、実際に着付けてみたりする必要があり、着物を着ること自体を負担に感じることがある。また、呉服店や着物レンタル店では、顧客に対し、着付け時におけるイメージを簡単に提示できるアイテムがあれば便利である。
【０００６】
上記のような実情に鑑みて、本考案は、たとう紙に包まれている着物等の和装衣類について、たとう紙を開いたり、畳まれたものを広げたりしなくても内容を把握可能で、初心者でも着付け時にどのようになるか具体的にイメージすることができるようにすることを目的とする。
【課題を解決するための手段】
【０００７】
請求項１の考案は、たとう紙に包まれた和装衣類の管理に用いられる和装衣類管理カードであって、前記和装衣類を撮影した画像と、前記和装衣類に関する情報が表示されていることを特徴とする和装衣類管理カードを提供する。
【０００８】
請求項２の考案は、前記画像には、前記和装衣類を広げた状態及び／又は畳んだ状態を表したものと、前記和装衣類を着付けした状態を表したものが含まれていることを特徴とする請求項１記載の和装衣類管理カードを提供する。
【０００９】
請求項３の考案は、前記情報には、前記和装衣類の種類及び仕立てが含まれていることを特徴とする請求項１又は２記載の和装衣類管理カードを提供する。
【００１０】
請求項４の考案は、前記情報には、前記和装衣類の各部寸法と、前記和装衣類に適合する身体寸法が含まれていることを特徴とする請求項１乃至３の何れかに記載の和装衣類管理カードを提供する。
【００１１】
請求項５の考案は、前記情報には、前記和装衣類と合わせて使用される他の和装衣類の適合寸法が含まれていることを特徴とする請求項１乃至４の何れかに記載の和装衣類管理カードを提供する。
【００１２】
請求項６の考案は、前記情報には、前記和装衣類のブランドが含まれていることを特徴とする請求項１乃至５の何れかに記載の和装衣類管理カードを提供する。
【００１３】
請求項７の考案は、一つの和装衣類の画像と情報が複数枚のカードに分けて表示されていることを特徴とする請求項１乃至６の何れかに和装衣類管理カードを提供する。
【００１４】
請求項８の考案は、たとう紙に貼り付けるための接着面が設けられて、はく離紙で覆われていることを特徴とする請求項１乃至７の何れかに和装衣類管理カードを提供する。
【考案の効果】
【００１５】
請求項１の考案に係る和装衣類管理カードによれば、以下の優れた効果を奏し得る。たとう紙に包まれた和装衣類を表した画像と情報が表示されているので、これを和装衣類が包まれたたとう紙に紐づけておくことで、たとう紙を開いたり、畳まれた和装衣類を広げたりしなくても内容を把握することができる。同じカードを複数作成して、一方をたとう紙に貼り付けておき、他方をカードホルダー等にファイルしておけば、ホルダーを繰って検索を短時間で行った後、同じカードを手掛かりとして、目的のたとう紙（和装衣類）を取り出すことで、コーディネート等を効率的に行うことができる。
【００１６】
請求項２の考案に係る和装衣類管理カードによれば、請求項１の考案に係る和装衣類管理カードが奏する効果に加えて、以下の優れた効果を奏し得る。和装衣類を広げた状態及び／又は畳んだ状態と、着付けした状態の画像が含まれており、どのようなものかを一目で把握することができる。これにより、和装の初心者でも着付け時にどのようになるか、具体的にイメージすることができる。また、呉服店や着物レンタル店において、顧客に対して、着物等のイメージを簡単に提示できるため、便利である。
【００１７】
請求項３の考案に係る和装衣類管理カードによれば、請求項１又は２の考案に係る和装衣類管理カードが奏する効果に加えて、以下の優れた効果を奏し得る。和装衣類の種類や仕立て（季節）が表示されているので、初心者でも着用する場面や季節・時候を知ることができ、ＴＰＯに応じた衣装を選ぶための一助となるものである。
【００１８】
請求項４の考案に係る和装衣類管理カードによれば、請求項１乃至３の何れかに記載の考案に係る和装衣類管理カードが奏する効果に加えて、以下の優れた効果を奏し得る。和装衣類の各部寸法と当該衣類に適合する身体寸法の両方を表示していることにより、着る人に合うかどうか、どのように着付けすれば良いか、事前に知ることができる。
【００１９】
請求項５の考案に係る和装衣類管理カードによれば、請求項１乃至４の何れかに記載の考案に係る和装衣類管理カードが奏する効果に加え、以下の優れた効果を奏し得る。当該衣類と組み合わせて使用する他の和装衣類の適合寸法が表示されていることにより、初心者でもどのような寸法のものを手配する必要があるか、また、手持ちの衣装と組み合わせ可能であるか分かるため、必要なものを早めに手当てすることができる。
【００２０】
請求項６の考案に係る和装衣類管理カードによれば、請求項１乃至５の何れかに記載の考案に係る和装衣類管理カードが奏する効果に加え、以下の優れた効果を奏し得る。ブランド表示により、その価値を顧客に容易に知らしめることができ、また、合わせる他の衣類や小物類を選定するための目安とすることができる。
【００２１】
請求項７の考案に係る和装衣類管理カードによれば、請求項１乃至６の何れかに記載の考案に係る和装衣類管理カードが奏する効果に加え、以下の優れた効果を奏し得る。画像と情報を複数枚のカードに分けて表示することにより、多くの情報を掲載する場合でも見易く、一枚一枚のカードを大きくする必要がなく取り扱い易くなる。
【００２２】
請求項８の考案に係る和装衣類管理カードによれば、請求項１乃至７の何れかに記載の考案に係る和装衣類管理カードが奏する効果に加え、以下の優れた効果を奏し得る。接着テープを備えることにより、たとう紙に簡単に固定することができる。
【図面の簡単な説明】
【００２３】
【図１】本考案に係る和装衣類管理カードの実施例を示す図（一点鎖線は、指示部を示すための補助線である）。
【図２】図１の和装衣類管理カードの使用例を示す図。
【図３】和装衣類管理カードの別の実施例を示す図（一点鎖線は、指示部を示すための補助線である）。
【考案を実施するための形態】
【００２４】
以下、本考案の実施形態について添付図面を参照しながら説明する。図１は、本実施形態に係る和装衣類管理カード１を示す。和装衣類管理カード１は、たとう紙に包まれた着物の管理に用いられるものであって、二枚の個別カード２、３で構成されており、一枚の着物を管理するための画像と情報がこれらの二枚のカードに分けて印刷表示されている。一枚の着物の情報等を二枚の個別カードに分けて表示するのは、表示量が多くても見易く、また、カードの大きさを抑えて取り扱い易くするためであるが、一枚にまとめて表示することとしても良い。なお、これらの情報等は、各個別カード２、３の表面（一方の面）にのみ印刷されている。
【００２５】
個別カード２には、着物を広げた状態（着付け前の状態）を表した「画像」１１と、着物に関する情報である「種類」１２、「仕立て（季節）」１３、「ブランド」１４、及び「サイズ」１５（１５１〜１５８）と、着物の種類や着用シーンを記号化した「ナンバー」１６が印刷されている。
【００２６】
画像１１は、着物を衣文掛けに掛けて広げた状態を背中側から撮影しており、これにより、たとう紙を開いたり、畳まれた着物を広げたりしなくても着物全体の雰囲気を概ね知ることができる。種類１２としては、「黒留袖」「色留袖」「訪問着」「付下げ」「色無地」「小紋」「紬」「羽織」「襦袢」「振袖」「浴衣」などが表示されており、その着物の着用に適した場面を知ることができる。仕立て１３としては、「袷（春秋冬）」「薄物（真夏）」「単衣（初夏・初秋）」などが表示されており、着用に適した季節・時候を知ることができる。
【００２７】
ブランド１４としては、証紙に記載された「京友禅」「加賀友禅」「大島紬」「結城紬」などのブランド名が表示されており、作家名が併せて表示されている。これらと後述する落款１８により、着物の価値を知ることができ、また、組み合わせる着物や小物類を選定する際の目安とすることができる。
【００２８】
サイズ１５は、「裄」１５１、「身丈」１５２、「袖丈」１５３、「前幅」１５４、「後幅」１５５などの着物の各部寸法に加えて、「身長」１５６、「ヒップ」１５７など当該着物に適合する身体寸法で構成されており、これにより、着用する人に合うものか、どのように着付けすれば良いか、着用の目安を事前に知ることができる。更に、組み合わせて着用する着物や襦袢などの適合寸法などに関する注意書き１５８が表示されており、これにより、どのような寸法のものを手配すれば良いかを知ることができる。  
【００２９】
ナンバー１６は、「きもの」「じゅばん」など大まかな種類と、「Ｆ」（フォーマル系）、「Ｃ」（カジュアル系）など大まかな着用シーンを表す記号と、「１」「２」「３」などの追番を組み合わせたものであり、これにより、一目で着物の内容を概ね把握でき、分類や整理を迅速に行うために役立たせることができる。
【００３０】
個別カード３には、着物を着付けした状態を表した「画像」１７と、「落款」１８と、「紋」１９と、着物を誂えた呉服店の「店情報」２０、更に個別カード２にも表示されている「種類」、「仕立て（季節）」、「ブランド」、「サイズ」、「ナンバー」等の情報が合わせて印刷表示されている。個別カード２の同じ情報を記載しているのは、二枚の個別カードが同じ着物に関するセットものであることが確認できるようにするためである。
【００３１】
画像１７は、着物をマネキン人形に着付けた状態を正面側から撮影しており、これにより、着付けしたときにどのような状態になるか、和装初心者でも容易に把握することができ、また、組み合わされている帯や帯締めをコーディネートの参考にすることもできる。マネキンに着付けた写真を、その着物に自分で決めている帯や帯締めのコーディネートがあれば、その組み合わせの写真にすると、時間がない時にすぐに見て取り出すことができる。組み合わせがない時は白い帯で撮影する。落款１８は、袖先やおくみにある落款の拡大写真が表示されている。紋１９は、着用する人の家紋に合うものか確認するために用いることができる。店情報２０は、店名や住所・電話番号等の連絡先が記載されている。
【００３２】
なお、図示されていないが、空白である個別カード２、３の裏面（空白部分）の全体又は一部に、粘着剤を備える接着面（接着テープ）が設けられ、はく離紙で覆われている。はく離紙をはがすことにより、個別カード２、３をたとう紙に対して簡単に貼付固定することができるようになっている。
【００３３】
図２は、和装衣類管理カード１の使用例を示している。ここでは、二枚の個別カード２、３からなる和装衣類管理カード１を二組（計４枚）用いており、一組を図２に下側に示されるたとう紙４の外側面に貼り付け、他の一組を図２に上側に示されるバインダー式のカードホルダー５にファイリングする。カードホルダー５には他の着物の和装衣類管理カードも多数ファイリングされており、着用する着物を選ぶ際には、綴じられたカードホルダー５を繰ることにより多数の着物の中から、候補となる着物の和装衣類管理カードを選び出す。
【００３４】
そして、選んだ和装衣類管理カード１に記載されているナンバー等の情報を参照することにより同じ和装衣類管理カード１が固定されているたとう紙（着物）を取り出す。ナンバーに記載されている記号や番号を元に、たとう紙をしまっておく場所や順番を決めておくようにすれば、効率的に取り出すことができる。なお、和装衣類管理カード１を更にもう一組用意して、たとう紙をしまう場所に表示しておけば、片付けをし易い。
【００３５】
上記の和装衣類管理カード１は、一組を着物が包まれたたとう紙４に貼り付けて、もう一組をカードホルダー５にファイリングしたが、必ずしもたとう紙に貼り付けなくても良い。例えば、たとう紙にナンバー１７等の情報を表示しておけば、その番号を頼りにカードホルダーで選択した着物を取り出すこともできるからである。そのようにする場合には、裏面の接着テープは設けなくても良い。上記和装衣類管理カード１は、着物を管理するために用いたが、その他、帯、コート類、袴などに用いても良い。
【００３６】
図３に示される和装衣類管理カード６は、帯の管理に用いられるものであり、一枚のカードで構成されている。和装衣類管理カード６の表面には、帯を畳んだ状態（着付け前の状態）を表した「画像」６１と、着付けした状態を表した「画像」６２のほか、帯に関する情報である「種類」６３、「季節」６４、「ブランド・備考」６５、「柄行き」６６及び「サイズ」６７と、帯の種類や着用シーンを記号化した「ナンバー」６８が印刷表示されており、裏面には、はく離紙で覆われた粘着性の接着面が設けられている。
【００３７】
画像６１によれば、たとう紙を開いたりしなくても、帯の雰囲気を概ね知ることができ、また、画像６２によれば、帯に応じた結び方が示されているため、着付け時にどのようになるかを予め知ることができる。種類６３は、「袋帯」「名古屋帯」又は「礼装帯」「洒落帯」などの情報が表示されており、ブランド・備考６５は、着物のブランド名と共に着用時の参考情報が表示されている。柄行き６６は、「全通柄」「六通柄」「お太鼓柄」などの情報に帯結びに便利な帯を広げた状態を示す画像が組み合わされて表示されている。サイズ６７には、具体的な長さ寸法に加えて、「短め」「長め」「並寸」など、着用する人の体型に合うか、着付けの目安に役立つ情報が表示されている。
【００３８】
上記のとおり、本考案の和装衣類管理カードによれば、たとう紙を開いたり、それに収められた着物や帯を広げたりしなくても、その内容や着付けに必要な情報が得られ、また初心者でも着付け時にどのようになるか具体的にイメージすることができるものである。なお、本考案は、上記実施形態に記載される内容に限定されるものではなく、その要旨の範囲内で、種々の変更をなし得るものである。
【符号の説明】
【００３９】
１    和装衣類管理カード（着物用）
２    個別カード
３    個別カード
４    たとう紙
５    カードホルダー
６    和装衣類管理カード（帯用）
【図１】
0003227235.tif 000003
【図２】
0003227235.tif 000004
【図３】
0003227235.tif 000005